(57)【要約】【課題】撮影レンズの焦点調整状態を所謂像ずれ方式を用いて高精度に検出することができる焦点検出装置を得ること。【解決手段】撮影レンズの瞳の異なる領域を通過した光束を用いて物体像に関する複数の光量分布を形成する２次結像系と、該２次結像系により形成した物体像に関する複数の光量分布を検出する、複数の画素より成る画素列を複数備えた光電変換素子と、該複数の光量分布の相対的な位置関係から該撮影レンズの結像状態を求める第１，第２焦点検出系と、を有する焦点検出装置であって、該第１，第２の焦点検出系の色収差は互いに異なっており、該第１，第２焦点検出系で実測した第１，第２焦点検出値を第１，第２の補正値で補正した第１，第２合焦値を比較して物体を照明する光源の種類を判別し、判別結果に基づいて、該第１，第２焦点検出値を補正する第１，第２補正値の値を変えること。【選択図】図２
2007033653.tif 000002
【特許請求の範囲】
【請求項１】
撮影レンズの瞳の異なる領域を通過した光束を用いて物体像に関する複数の光量分布を形成する２次結像系と、
該２次結像系により形成した物体像に関する複数の光量分布を検出する、複数の画素より成る画素列を複数備えた光電変換素子と、
該複数の光量分布の相対的な位置関係から該撮影レンズの結像状態を求める第１，第２焦点検出系と、を有する焦点検出装置であって、
該第１，第２の焦点検出系の色収差は互いに異なっており、
該第１，第２焦点検出系で実測した第１，第２焦点検出値を第１，第２の補正値で補正した第１，第２合焦値を比較して物体を照明する光源の種類を判別し、
判別結果に基づいて、該第１，第２焦点検出値を補正する第１，第２補正値の値を変えることを特徴とする焦点検出装置。
【請求項２】
前記第１，第２焦点検出系で焦点検出を行う物体の領域は同一であり、
前記第１，第２焦点検出系は、前記対物レンズの瞳の同一領域を通過する光束を用いていること
を特徴とする請求項１の焦点検出装置。
【請求項３】
前記第１，第２焦点検出系は、互いにプリズム頂角の異なるプリズムを光路中に設けていることを特徴とする請求項１又は２の焦点検出装置。
【請求項４】
請求項１乃至３の何れか１項に記載の焦点検出装置と、該焦点検出装置で求めた合焦信号に基づいて対物レンズの合焦レンズを駆動させることを特徴とする撮像装置。
【請求項５】
撮影レンズの瞳の異なる領域を通過した光束を用いて物体像に関する複数の光量分布を形成する２次結像系と、
該２次結像系により形成した物体像に関する複数の光量分布を検出する、複数の画素より成る画素列を複数備えた光電変換素子と、
該複数の光量分布の相対的な位置関係から該撮影レンズの結像状態を物体の同一領域において求める第１，第２焦点検出系と、を有し、
該第１，第２の焦点検出系の色収差は互いに異なっており、
該第１，第２焦点検出系で各々実測した第１，第２焦点検出値を補正する第１，第２補正値を有しており、
該第１，第２焦点検出値を該第１，第２補正値で補正した第１，第２合焦値を比較して物体が照明された照明手段の種類を判別し、
判別結果に基づいて、該第１，第２焦点検出値を補正する第１，第２補正値の値を変える演算手段を備えること
を有することを特徴とする焦点検出システム。
【発明の詳細な説明】
【技術分野】
【０００１】
本発明は焦点検出装置及びそれを用いた撮像装置に関し、特に撮影レンズ（対物レンズ）の焦点調節状態を所謂像ずれ方式（位相差検出方式）を用いて検出するようにした、例えば一眼レフレックスカメラ、一眼レフレックス電子カメラ、デジタルカメラ、そしてビデオカメラ等の撮像装置に好適なものである。
【背景技術】
【０００２】
多くの写真用カメラあるいはビデオカメラは自動焦点調節のための焦点検出装置を内蔵している。一眼レフカメラのように厳しいピント精度が要求される焦点検出装置においては、位相差検出方式を用いた焦点検出装置が一般的に用いられている（例えば特許文献１）。位相差検出方式は、対になった２次結像レンズ（２次結像系）により物体像（被写体像）に関する複数の光量分布を光電変換素子の画素列（ラインセンサー列）上に形成し、両光量分布の相対的位置関係から対物レンズの焦点調節状態を検出する方式である。
【０００３】
位相差検出方式の焦点検出装置において、撮影レンズの収差に起因して、焦点検出装置の読み取る焦点位置と実際の撮影レンズの焦点位置（真の焦点位置）とが異なることがある。この為、これを補完するための補正値が撮影レンズ毎に設けられている。
【０００４】
一般に、撮影レンズは可視域外である赤外の波長域においては収差補正がなされていない。このため、被写体（物体）の照明光として赤外光を多く含む自然光や白熱灯からの光束といった広い波長域の照明光下で撮影を行う場合と、赤外をほとんど含まない蛍光灯等の狭い波長域の照明光下で撮影を行う場合とでは、撮影レンズの収差の出方が異なり、焦点検出のための補正値を異ならせる必要がある。
【０００５】
したがった、高精度に焦点検出を行うには、被写体が照らされている光束の分光特性（光源の種類）を検知し、補正値を調整する必要がある。
【０００６】
特許文献２や３では、被写体を照明する光源の種類を検知して焦点検出を行う焦点検出装置が提案されている。
【０００７】
特許文献２では、赤外部分に感度を持つセンサーと可視部分に感度を持つセンサーとの２つのセンサーを用意し、各センサーからの出力信号の強度を比較することで、光源が蛍光灯であるかそうでないかを判別している。
【０００８】
特許文献３では、蛍光灯の高周波成分（ちらつき、フリッカー）を検知することで、光源の種類を判別している。
【特許文献１】特開２００１−６６４９６号公報
【特許文献２】特開２００１−３３７２６３号公報
【特許文献３】特開昭６２−０４７０１７号公報
【発明の開示】
【発明が解決しようとする課題】
【０００９】
特許文献２で提案されている焦点検出装置では、蛍光灯の検知のために新たにユニットを用意せねばならず、複雑な装置が必要となる。その結果、カメラの重量が増大する。
【００１０】
特許文献３で検出されている焦点検出装置では、既存の測光センサーなどを利用することができるが、焦点検出精度の点で不十分である。例えば近年の蛍光灯はちらつきの少ないものが多いため、誤って光源を判定する可能性がある。また、蛍光灯からの照明光と自然光が混在して存在し、自然光が多く優勢な状況下でも、ちらつきを検知し光源を誤って判別してしまう場合があった。
【００１１】
焦点検出精度を高めるには、装置が複雑にならずに被写体を照明する照明光の分光特性の違いを適切に判別し、即ち光源手段の種類を判別し、それに合った焦点検出用の補正値を用いるのが重要となってくる。
【００１２】
本発明は焦点検出精度を向上させることができる焦点検出装置及びそれを用いた撮像装置の提供を目的とする。
【課題を解決するための手段】
【００１３】
請求項１の発明の焦点検出装置は、撮影レンズの瞳の異なる領域を通過した光束を用いて物体像に関する複数の光量分布を形成する２次結像系と、
該２次結像系により形成した物体像に関する複数の光量分布を検出する、複数の画素より成る画素列を複数備えた光電変換素子と、
該複数の光量分布の相対的な位置関係から該撮影レンズの結像状態を求める第１，第２焦点検出系と、を有する焦点検出装置であって、
該第１，第２の焦点検出系の色収差は互いに異なっており、
該第１，第２焦点検出系で実測した第１，第２焦点検出値を第１，第２の補正値で補正した第１，第２合焦値を比較して物体を照明する光源の種類を判別し、
判別結果に基づいて、該第１，第２焦点検出値を補正する第１，第２補正値の値を変えることを特徴としている。
【発明の効果】
【００１４】
本発明によれば、高精度の焦点検出ができる焦点検出装置が得られる。
【発明を実施するための最良の形態】
【００１５】
【実施例１】
【００１６】
図１は本発明の焦点検出装置を一眼レフレックスカメラに適用した実施例１の構成図である。図１において紙面内が縦方向（垂直方向）、紙面と垂直方向が横方向（水平方向）である。
【００１７】
図１において、２１はカメラ本体ＣＢに脱着可能または固定の撮影レンズ、１１は撮影レンズ２１の瞳、１１ａは瞳径である。
【００１８】
Ｌａは撮影レンズ２１の光軸である。光軸Ｌａにそって入射する光束は半透過部を備えるクイックリターンミラー２２に達し、反射光と透過光の二つの光束に分割される。
【００１９】
反射側には光軸Ｌａに沿ってフォーカシングスクリーン２３、ペンタプリズム２４、接眼レンズ２５が配置され、これらの部材はフォーカシングスクリーン２３上に形成されたファインダー像の視認のためのファインダー系を構成する。
【００２０】
一方、クイックリターンミラー２２の透過する側には、光軸Ｌａに沿って、可動のサブミラー２６、位相差方式の焦点検出系（焦点検出装置）ＦＤが配置される。自動焦点検出の際には、焦点検出系ＦＤからの出力に基づき、示されていない駆動機構によって撮影レンズ２１のフォーカス部が駆動され焦点状態が調節される。
【００２１】
焦点検出系ＦＤの詳細について説明する。２は撮影レンズ２１の焦点面又はその近傍に置かれる水平方向に長い開口を有する視野マスクである。
【００２２】
４は開口４ａ，４ｂを有する絞り、５は被写体像に関する２次像を形成する為の２次結像系、６は被写体像に関する２次像の光量分布（像ずれ）を検出するための複数の素子より成る光電変換素子（センサー）である。
【００２３】
視野マスク２から２次結像系５に至る各要素で２次結像系を構成している。
【００２４】
本実施例は、撮影レンズ２１の瞳１１の異なる領域１１ｂ１，１１ｂ２を通過した光束を用いて、被写体像に関して、水平方向に２対以上を含む複数対の分量分布を形成する２次光学系２〜５と、複数対の光量分布の相対的な位置関係を各々検出する複数対の光電変換素子６とを有し、光電変換素子６からの信号を用いて、撮影レンズ２１の焦点位置を公知の位相差検出方式を用いて検出している。
【００２５】
図２（Ａ）は、撮影レンズ２１の射出瞳１１における撮影レンズ２１が使用する光束範囲中のうちの焦点検出装置で使用する光束範囲の説明図である。図２（Ｂ）は図２（Ａ）におけるそれぞれの光束に対応した焦点の位置を示した説明図である。
【００２６】
図１（Ａ）において最大の円１１ａが、撮影レンズ２１の射出瞳１１を通過する全光束範囲であり、撮影レンズ２１で使用する光束範囲である。
【００２７】
図１（Ｂ）において領域１１ｂ１，１１ｂ２を通過する光束が集光する焦点Ｐ１と、瞳全体１１ａを通過する光束が集光する焦点Ｑ１とは異なっている。このときの差分Δは撮影レンズの収差が原因である。
【００２８】
焦点検出装置は射出瞳１１ａ中の斜線で示された範囲１１ｂ１，１１ｂ２を利用する。撮影レンズには一般に球面収差が存在する。このため、光軸からの高さの低い範囲の光束を使用する焦点検出装置では、全光束を使用した撮影レンズの焦点位置と異なる位置を焦点位置（合焦検出値）であると判断してしまう。この相違を解消するために、各撮影レンズやそれを用いるカメラは合焦誤差を補正するための補正値を記憶しており、実測された合焦検出値を補正値で補正した合焦値を用いている。
【００２９】
また、焦点検出の動作において、合焦精度を向上させるために被写体が暗い場合に、カメラ側から光を被写体に投光することがある。この時に使用する光は、撮影構図への影響の回避から、可視域外の赤外光（波長７００〜８００ｎｍ）、例えば赤外発光ダイオードからの赤外光を使っている。したがって、焦点検出装置の光路中に使用する赤外カットのフィルターは、撮影センサーの光入射側に使用している赤外カットフィルターよりもより長波長側の赤外光を透過させている。
【００３０】
撮影レンズの諸収差は、可視域（波長４００〜７００ｎｍ）で補正されるように設計が行われている。このため、赤外域では収差が多く残存している。図３には、ある撮影レンズの球面収差の概念図である。ＳＡ１は可視域の球面収差、ＳＡ２は赤外域の球面収差である。図３から明らかのように可視域の球面収差は座標の中心（ガウス像面）近辺に存在しているのに対し、赤外域の球面収差では中心から大きく外れているのが分かる。先に述べたように、撮影レンズの焦点位置と焦点検出装置で検出される焦点位置の相違は収差が主たる原因となって生ずる。このため、赤外域で検出された焦点位置は、可視域で検出された焦点位置と大きく異なってくる。
【００３１】
図４は、撮影で使用される代表的な光源と太陽光の波長依存強度を表したグラフである。横軸が波長、縦軸が光発光強度である。
【００３２】
それぞれのラインは、太陽や白熱灯、蛍光灯のものである。焦点位置の検出誤差への影響という点では、上に述べた理由から光源が赤外光を多く含む場合とほとんど含まない場合とに区別されるべきである。ここでは、自然光や白熱灯からの光は赤外光を多く含む光源、蛍光灯からの光は赤外光をほとんど含まない光源である。実施例１では撮影に際してこの２種類の光源を判別し、焦点位置を求めるときには、それぞれの区分に対応した補正値を利用することで、光源の差異による焦点位置の違い（焦点検出誤差）を緩和している。
【００３３】
図５は、位相差方式を用いた焦点検出装置の一部分の概念図である。
【００３４】
撮像面と光学的に等価な位置にある１次結像面３と、１次結像面３を通過した光束を２つの領域に分割する２つの開口４ａ，４ｂを有する絞り４と、絞り４の開口４ａ，４ｂを通過した光に基づく２次物体像６ａ，６ｂをラインセンサー６上に結像する１対のレンズ５ａ，５ｂより成る２次結像系５を有している。
【００３５】
焦点位置は、絞り４のそれぞれの開口４ａ，４ｂを通りラインセンサー６に投影される２つの２次物体像６ａ，６ｂの間隔（相対的なずれ量）で判断される。例えば、２つの２次物体像６ａ，６ｂの間隔が予め設定した基準値に比べ広い時には後ピン（本来焦点を合わせたい被写体よりも後方にピントが合っている状態）、間隔が狭い時には前ピン（本来焦点を合わせたい被写体よりも前方にピントが合っている状態）である。
【００３６】
図６は、焦点検出の際に、撮影レンズの色収差を調整するための２次結像系５の一方のレンズ５ａの説明図である。図６のレンズ５ａは、前面（光入射側）にプリズム５ａ１、後面にレンズ５ａ２を配置して構成されている。プリズム５ａ１の角度とレンズ５ａ２の紙面上下方向の偏心によりプリズム作用を起し、波長に依存してラインセンサー６上での結像位置を変化させている。
【００３７】
ここでは、波長の長い光線９をより内側に、波長の短い光線８を外側に屈折させている。このようなプリズム作用によって色収差を発生させた２次結像系５に長波長の光が入射すると、色収差がほとんど無い２次結像系に入射した場合に比べて２つの２次物体像６ａ，６ｂの間隔は狭くなり、より前ピンの傾向を示す。一方、短波長の光が入射したときには、長波長の光が入射したときと逆で２つの２次物体像６ａ，６ｂの間隔は広くなり、より後ピンの傾向を示す。
【００３８】
図７は、実施例１における焦点検出装置の一部分の概念図である。図６において、２つの焦点検出系７１，７２の色収差はそれぞれ異なっており、波長の違いによって検出される焦点位置が異なる。
【００３９】
また、２つの焦点検出系７１，７２はほぼ同一の距離（物体の同一の領域）を測定する必要があるため、ラインセンサー６１，６２に取り込む光線が１次結像面３上のほぼ同じ箇所を通過するように各部材を配置している。
【００４０】
焦点検出系７１の２次結像系５１のプリズム作用は、焦点検出系７２の２次結像系５２のプリズム作用に比べて大きい。
【００４１】
本実施例では２つの焦点検出系７１，７２のそれぞれの色収差を異ならせている。
【００４２】
本実施例の２つの焦点検出系７１，７２は、プリズム作用の大きさが違うためラインセンサー６１，６２に入射する光の中に長波長が多く含まれるかあるいはほとんど含まれないかによって、二つの焦点検出系７１，７２から導かれるピントずれ量（合焦信号）が変化する。これにより、光源の種類の検知が可能となる。
【００４３】
以下に、本実施例における焦点検出の流れを図８のフローに基づいて述べる。
【００４４】
焦点検出を行った時、一方の焦点検出系７１からの出力されたピントのずれ量（第１焦点検出値）をＡＦ１、焦点検出系７１と異なる色収差のあるもう一方の焦点検出７２からの出力されたピントのずれ量（第２焦点検出値）をＡＦ２とする。
【００４５】
特定の光源下（基準光源）で、この出力値と実際の合焦値（真の焦点位置）との差分を解消するための補正値をそれぞれ第１,第２補正値Ｃ１、Ｃ２として、あらかじめ基準光源下で調整を行い、撮影レンズ内又はカメラ本体内の記憶手段に記憶している。
【００４６】
今回は、例えば基準光源として赤外域を多く含む太陽光を光源として利用する。また、第１焦点検出値ＡＦ１を出す焦点検出系７１に比べ、第２焦点検出値ＡＦ２を出す焦点検出系７２は短波長に比べ長波長をより光軸に近く（より内側に）曲げるプリズム作用を持っている（赤外域に向ける球面収差量が大きい）。
【００４７】
次に実際に焦点検出を行う時、光源が基準光源か或いはそうでないか（照明光の分光特性が基準分布をしているかそうでないか）を判断する流れを述べる。撮影するときの光源が、赤外光を多く含む時は合焦検出値ＡＦ１と補正値Ｃ１を加えた値（第１合焦値）と、合焦検出値ＡＦ２と補正値Ｃ２を加えた値（第２合焦値）は、赤外光を多く含む基準光源で調整されているため、ほぼ同程度の値となる。
【００４８】
一方、撮影するときの光源が赤外光をほとんど含まない光源、例えば蛍光灯であれば、第１焦点検出値ＡＦ１と第２焦点検出値ＡＦ２のプリズム作用の違いから、第１焦点検出値ＡＦ１と補正値Ｃ１を加えた値（第１合焦値）は、第２焦点検出値ＡＦ２と第２補正値Ｃ２を加えた値（第２合焦値）よりも後ピン（大きい）であることを示す。
【００４９】
第１合焦値と第２合焦値の差Δに閾値（δ）以上か否かの判断から、光源が蛍光灯であるか、或いは基準光源に近い光源かのどちらかが判別ができる。
【００５０】
この判断に従い蛍光灯下の撮影である場合は、補正値Ｃ１、Ｃ２と異なる値の補正値Ｃ’１、Ｃ’２を利用し焦点検出を行う。
【００５１】
これらの一連の動作は、カメラ本体内の演算手段によって行っている。そして２つの焦点検出系から得られる第１,第２合焦値の少なくとも一方を用いて合焦レンズを駆動させて合焦操作を行っている。
【００５２】
本実施例において、閾値（δ）を１つに限らず何種類か設けても良く、これによれば多数の光源の検知も可能となり、高い精度で焦点検出ができる。
【００５３】
以上のように本実施例では、位相差検出方式により焦点を検出する第一焦点検出系と、第一焦点検出系と異なる色収差を加えた位相差検出方式により焦点を検出する第二焦点検出系を備え、第一と第二焦点検出系からの出力を用いて、被写体を照射する照明手段が赤外域を多く含む光源であるか否かを判別し、その判別に従って補正した合焦値を用いることによって高精度の合焦操作を行っている。
【００５４】
以上のように、本実施例によれば、照明手段（光源）の違いに従い焦点検出系からの出力が変化するので、その変化を判定することで自然光か蛍光灯からの光かを検出することが可能となる。照明手段が判別されたあとは、それぞれに依存する補正値を用いて合焦値（焦点位置）を求めることで、より精度の高い焦点検出（測距）が可能となる。
【図面の簡単な説明】
【００５５】
【図１】本発明の焦点検出装置を有する撮像装置の説明図
【図２】（Ａ）ある撮影レンズの、射出瞳面における撮影に使用する光束と焦点検出系で使用する光束（斜線）の違いを表した概念図。（Ｂ）撮影レンズと焦点検出系の光束のおける焦点位置の違いを表した概念図。
【図３】撮影レンズの代表的な球面収差図。
【図４】様々な光源から放射される光束の強度の波長依存性。
【図５】位相差検出方式を用いた焦点検出装置の概念図。
【図６】波長の違いに依存した結像位置の違いを表した概念図。
【図７】本発明において光源検知を行う焦点検出装置の概念図。
【図８】光源検知、焦点検出を行うための流れを表した図。
【符号の説明】
【００５６】
ＳＡ１  可視域の収差
ＳＡ２  赤外の収差
２  視野マスク
３  １次結像面
４  絞り
５  ２次結像系
６  センサー
７１，７２  ２次結像系
８  長波長光線の通過経路
９  短波長光線の通過経路
２１  撮影レンズ
【図１】
2007033653.tif 000003
【図２】
2007033653.tif 000004
【図３】
2007033653.tif 000005
【図４】
2007033653.tif 000006
【図５】
2007033653.tif 000007
【図６】
2007033653.tif 000008
【図７】
2007033653.tif 000009
【図８】
2007033653.tif 000010